(57)【要約】      （修正有）【課題】蓄電池に設けられた嵌着係止部に嵌着係止されている帯状把手を掴み、蓄電池を持ち上げると前記帯状把手の一部を構成している係止体に強い力が加わり変形することがある。その変形が大きいと帯状把手が嵌着係止部から外れてしまう問題点を抱えていたのに対して、前記係止体に大きな力が加わっても、係止体の変形が抑止され、帯状把手が嵌着係止部から外れることのない帯状把手を備えた蓄電池を提供する。【解決手段】蓄電池の両側面に設けられた嵌着係止部１０に、帯状把手６の両端部に設けられた係止体９を嵌着することにより嵌着係止される着脱可能な帯状把手を備えた蓄電池において、前記嵌着係止部に設けられた両凸部に係止可能な突起部が、係止体両端部に設けられた。【選択図】図１
2005327599.tif 000002
【特許請求の範囲】
【請求項１】
蓄電池の両側面に設けられた嵌着係止部に、帯状把手の両端部に設けられた係止体を嵌着することにより嵌着係止される着脱可能な帯状把手を備えた蓄電池において、
前記嵌着係止部に設けられた両凸部に係止可能な突起部が、係止体両端部に設けられたことを特徴とする蓄電池。
【発明の詳細な説明】
【技術分野】
【０００１】
帯状把手を備えた蓄電池に関する。
【背景技術】
【０００２】
蓄電池は、種類あるいは容量によっては重いものもあり、搬送容易なために把手が取り付けられていることが多い。さらに、例えば、把手が取り付けてある自動車用鉛蓄電池を搬送した後、自動車に固定金具を用いて設置する場合に前記把手が障害になることが多く、着脱可能な構造の把手が広く採用されている。
【０００３】
図４は、着脱可能な構造の帯状把手が鉛蓄電池の側面に設けられた嵌着係止部で嵌着係止された一例を模式的に示す要部斜視図で、図において、１は鉛蓄電池、２は鉛蓄電池の電槽、３はその蓋、４はその端子、５はその液口栓、６は帯状把手、７は前記帯状把手６の帯状部、８は前記帯状部７に設けられた切欠部、９は帯状部７の両端に設けられた係止体、１０は嵌着係止部、１１は蓋側面に設けられた開口部（以降、側面開口部という）、１２は蓋上面に設けられた開口部（以降、上面開口部という）、１３は側面開口部１１の長側面に設けられた凸部、１４は側面開口部１１の狭部をそれぞれ示す。
【０００４】
図４に示すように、嵌着係止部１０とは、側面開口部１１、上面開口部１２、凸部１３および狭部１４とから構成されたものをいい、側面開口部１１と上面開口部１２とは連通した構造を有しており、その部分に帯状部７が挿入されている。また、係止体９は側面開口部１１の底面と凸部１３の下面との間に嵌着されている。
【０００５】
図５は、嵌着係止部１０に帯状把手６を嵌着係止する直前の状態を模式的に示す要部正面図で、構成部材は図４と同じ番号を付記する。
【０００６】
図５に示すように、切欠部８を側面開口部１１の狭部１４に合せ、押し込むとことにより、帯状部７は上面開口部１２（図５では図示せず）に挿通され、次に、帯状部７を上方向（図５での矢印方向）に引き上げると、係止体９が側面開口部１１の底面と凸部１３の下面との間に嵌着され、図４に示すような帯状把手６が鉛蓄電池１に嵌着係止された状態が得られる。
【０００７】
帯状把手を嵌着係止する方法が特許文献１で提案されている。
【０００８】
【特許文献１】実用新案登録公報  第２６０３２３５号
【発明の開示】
【発明が解決しようとする課題】
【０００９】
図４に示す帯状把手６を構成している帯状部７および係止体９は、その生産性が優れていることから樹脂で一体成型されたものが広く採用されている。樹脂は硬質といえども、大きな力が加わると係止体９の両端部が変形する。その変形が大きいと、係止体９が嵌着係止部１０から外れる、すなわち、帯状把手６が蓄電池から外れる問題を抱えている。
【００１０】
図６は、その状態を模式的に示す要部正面図で、構成部材は図４と同じ番号を付記する。
【００１１】
鉛蓄電池１を帯状把手６で持ち上げた場合、図６に示すように、係止体９の両端部が両凸部１３を起点に変形する。さらに上方向に強く引張られると、その変形が大きくなり、両凸部１３の下面を滑って上面開口部１２（図６では図示せず）から引き抜かれ、帯状把手６が鉛蓄電池１から外れる問題が発生する。
【００１２】
したがって、本願発明の目的は、図６に示すように嵌着係止部１０に嵌着係止されている係止体９に大きな力が加わっても前記係止体９の変形が抑止され、上面開口部１２（図６では図示せず）から引き抜かれることのない帯状把手６を備えた蓄電池を提供することにある。
【課題を解決するための手段】
【００１３】
本願発明の課題を解決するための手段として、請求項１による発明は、蓄電池の両側面に設けられた嵌着係止部に、帯状把手の両端部に設けられた係止体を嵌着することにより嵌着係止される着脱可能な帯状把手を備えた蓄電池において、前記嵌着係止部に設けられた両凸部に係止可能な突起部が、係止体両端部に設けられたことを特徴とするものである。
【発明の効果】
【００１４】
以上、説明したように、蓄電池の両側面に設けられた嵌着係止部に、帯状把手の両端部に設けられた係止体を嵌着することにより嵌着係止される着脱可能な帯状把手を備えた蓄電池において、前記嵌着係止部に設けられた両凸部に係止可能な突起部が、係止体両端部に設けられた構造にすることにより、帯状把手を掴み、蓄電池を持ち上げた際に、蓄電池重量が重く、前記係止体に大きな力が加わり変形しても、前記係止体の両端部に設けられた突起部が嵌着係止部に設けられた両凸部で係止され、それ以上の変形が抑止されるので、帯状把手が蓄電池から外れることなく安全に搬送でき、その工業的効果が極めて大である。
【発明を実施するための最良の形態】
【００１５】
本願発明を実施するための最良の形態は、蓄電池の両側面に設けられた嵌着係止部に、帯状把手の両端部に設けられた係止体を嵌着することにより嵌着係止される着脱可能な帯状把手を備えた蓄電池において、前記嵌着係止部に設けられた両凸部に係止可能な突起部が、係止体両端部に設けられた構造にすることである。
【００１６】
前記係止体の両端部に設けられた突起部の形状および寸法は、特に限定されるものでなく当業者が適宜決定し得る設計事項である。
【００１７】
また、係止体の形状および寸法についても、特に限定されるものでなく当業者が適宜決定し得る設計事項である。
【実施例】
【００１８】
本願発明を実施例に基づき詳細に説明する。
（実施例１）
図１は、本願発明に基づく実施例１を模式的に示す要部斜視図で、９は係止体、１５は前記係止体９の両端部に形成された突起部をそれぞれ示す。他の構成部材は図４と同じ番号を付記する。
【００１９】
本実施例では、帯状部７、係止体９および突起部１５が硬質ＰＰ樹脂により一体に成型されている。
【００２０】
図２（ａ）は、実施例１による帯状把手を掴み、矢印の方向に鉛蓄電池を持ち上げた状態を模式的に示す要部正面図で、図２（ｂ）は図２（ａ）の破線ｈで囲んだ部分の拡大図で、構成部材は図１と同じ番号を付記する。
【００２１】
図１、図２（ａ）に示すように、突起部１５は、帯状把手６で蓄電池が持ち上げられたときに係止体９に力が加わる方向で、係止体９の両端部に形成されている。この場合、突起部１５は係止体９に対して直角に形成されている。このような構造にすることにより、係止体９が変形しても、前記突起部１５が嵌着係止部１０に設けられた両凸部１３で係止され、それ以上の変形が抑止されるので、係止体９が上面開口部１２から引抜かれ、帯状把手６が蓄電池から外れるのを防止できる。
【００２２】
ここでいう、蓄電池が帯状把手６で持ち上げられたときに係止体９に力が加わる方向とは、図２（ａ）において破線で示す帯状把手６の長手方向の中心線１６の方向を意味する。
【００２３】
次に、図２（ｂ）に示す突起部１５の長さＨは、前記突起部１５が確実に凸部１３に係止されるのに重要な要素で、係止体９の両端部が最大に屈曲した場合でも前記突起部１５が凸部１３に係止されるように、Ｈの長さを設計する必要がある。
【００２４】
突起部１５の形状は、図１で示す実施例１では円筒形状であるが、これも、円筒形状に限定されるものでなく、適宜決定できる設計事項である。
【００２５】
また、係止体９の形状も図１では、円筒形状が適用されているが、円筒形状に限定されるものでなく、角形形状でもよく、適宜決定できる設計事項である。
【００２６】
さらに、実施例１では、帯状部７、係止体９および突起部１５からなる帯状把手６が硬質のＰＰ樹脂で一体に成型された例について説明したが、それ以外の樹脂、例えば、ＡＢＳ樹脂あるいはＰＥ樹脂も適用可能である。
（実施例２）
図３は実施例２の帯状把手を示す要部模式図で、６は帯状把手、７は帯状部、８は切欠部、９は係止体、１５は突起部、１６は帯状部の長手方向の中心線をそれぞれ示す。
【００２７】
図３に示すように、実施例２では両突起部１５は、蓄電池が帯状把手６で持ち上げられた時に係止体９に力が加わる方向、すなわち中心線１６に向かって上昇する傾斜を有している。このような形状の突起部１５は、凸部１３でより強固に係止されるのが理解できる。
【００２８】
また、前記傾斜の角度は、当業者が適宜決定できる設計事項である。
（実施例３）
図７は実施例３の帯状把手を示す要部模式図で、７はポリエステル繊維織布からなる帯状部、１７は固形体それぞれを示す。他の構成部材は図1と同じ番号を付記する。
【００２９】
図７に示すように、実施例３の帯状把手６では、帯状部７が織布からなる変形自在な部材を使用し、係止体９と前記帯状部７との間に固形体１７を設け、前記固形体１７の両側部に切欠部８が設けられた構造である。この場合、係止体９と固形体１７とが硬質ＰＥ樹脂で一体に成型された後、固形体１７の先端とポリエステル繊維織布からなる帯状部７とが熱溶着により接合されている。本実施例の帯状把手６も係止体９の両端部に突起部１５が設けられているので本願発明の効果が同様に得られるのは容易に理解できる。
（実施例４）
図８は実施例４の帯状把手を示す要部模式図で、構成部材は図1と同じ番号を付記する。
【００３０】
図８に示すように、帯状部７には図７と同様のポリエステル繊維織布を用い、係止体９と直接接合された形状で、接合方法には、図に示すように、帯状部７を係止体９に巻きつけた後、合わせ部分を縫製する方法や、合わせ部分を熱溶着あるいは接着剤で接合する方法が挙げられる。この場合も、係止体９の両端部に突起部１５が設けられたことは同じで、実施例１と同様の効果が得られるのはいうまでもない。
【００３１】
以上のように、帯状把手６の両端部に設けられた係止体９の両端部に突起部１５を設けることが本願発明の特徴とするところであり、帯状把手６を構成する帯状部７およびその両端に設けられた係止体９の形状、両者の接合方法および使用する部材は特に限定されるものではない。
【００３２】
実施例では鉛蓄電池に帯状把手を嵌着係止した例について説明したが、鉛蓄電池に限定されるものでなく、着脱可能な帯状把手が嵌着係止部で嵌着係止された蓄電池であれば、係止体の両端部に突起部を設ける本願発明の方式が適用できることはいうまでもない。
【図面の簡単な説明】
【００３３】
【図１】本願発明に基づく実施例１の帯状把手および鉛蓄電池を模式的に示す要部斜視図。
【図２】実施例１の帯状把手により鉛蓄電池を持ち上げた状態を模式的示す要部正面図（ａ）および（ａ）の破線部分の拡大正面図（ｂ）。
【図３】実施例２の帯状把手を示す要部模式図。
【図４】従来の帯状把手が鉛蓄電池に嵌着係止された状態を模式的に示す要部斜視図。
【図５】鉛蓄電池に帯状把手を嵌着係止する直前の状態を模式的に示す要部正面図。
【図６】従来の帯状把手で鉛蓄電池を持ち上げた状態を模式的に示す要部正面図。
【図７】実施例３の帯状把手を示す要部模式図。
【図８】実施例４の帯状把手を示す要部模式図。
【符号の説明】
【００３４】
１  鉛蓄電池
６  帯状把手
７  帯状部
８  切欠部
９  係止体
１０  嵌着係止部
１１  側面開口部
１２  上面開口部
１３  嵌着係止部に設けられた凸部
１４  側面開口部の狭部
１５  係止体の両端部に設けられた突起部
１６  帯状把手の長手方向の中心線
１７  固形体
【図１】
2005327599.tif 000003
【図２】
2005327599.tif 000004
【図３】
2005327599.tif 000005
【図４】
2005327599.tif 000006
【図５】
2005327599.tif 000007
【図６】
2005327599.tif 000008
【図７】
2005327599.tif 000009
【図８】
2005327599.tif 000010